【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
複数の加熱部と複数の供給口とを有し、前記加熱部のそれぞれは、少なくとも１つの前記供給口から供給されたインクを、電気熱変換素子の熱エネルギーを利用して対応する吐出口から吐出可能なインクジェット記録ヘッドにおいて、
１つ以上の前記加熱部は、所定方向に沿って前記供給口と交互に配列され、
前記所定方向と直交する方向における少なくとも１つの前記供給口の開口寸法は、前記所定方向と直交する方向における前記電気熱変換素子の長さよりも大きいことを特徴とするインクジェット記録ヘッド。
【請求項２】
前記加熱部から、前記所定方向において隣接する前記供給口に向かうインクの流抵抗は、前記加熱部から、前記所定方向と直交する方向に向かうインクの流抵抗よりも小さいことを特徴とする請求項１に記載のインクジェット記録ヘッド。
【請求項３】
前記所定方向における少なくとも１つの前記供給口の開口寸法は、対応する前記吐出口の最小内径よりも大きいことを特徴とする請求項１または２に記載のインクジェット記録ヘッド。
【請求項４】
前記複数の加熱部は、同一の基板上に位置して流体的に連通しており、
前記複数の供給口は、前記基板の前記電気熱変換素子が形成された面の裏面側に位置する共通液室内のインクを前記加熱部に供給するように、前記基板を貫通することを特徴とする請求項１から３のいずれかに記載のインクジェット記録ヘッド。
【請求項５】
少なくとも１つの前記加熱部と、それに隣接する前記供給口と、の間に、対応する前記吐出口の最小内径よりも小さい開口を形成する狭窄部が形成されていることを特徴とする請求項１から４のいずれかに記載のインクジェット記録ヘッド。
【請求項６】
前記加熱部は、前記基板と、前記吐出口が形成されたオリフィスプレートと、の間に形成され、
前記基板と前記オリフィスプレートとの間の間隔は、前記吐出口の最小内径よりも小さいことを特徴とする請求項１から５のいずれかに記載のインクジェット記録ヘッド。
【請求項７】
少なくとも１つの前記加熱部は、前記所定方向と直交する方向に隣接する前記供給口を有することを特徴とする請求項１から６のいずれかに記載のインクジェット記録ヘッド。
【請求項８】
前記所定方向に沿う方向に延在する流路壁が、少なくとも１つの前記加熱部に隣接して配されることを特徴とする請求項１から７のいずれかに記載のインクジェット記録ヘッド。
【請求項９】
前記所定方向と直交する方向に配列された２つの加熱部の間に、前記所定方向と直交する方向に延在する流路壁が配されることを特徴とする請求項１から８のいずれかに記載のインクジェット記録ヘッド。
【請求項１０】
前記所定方向と直交する方向に延在する流路壁は、少なくとも１つの前記供給口上に設けられることを特徴とする請求項９に記載のインクジェット記録ヘッド。
【請求項１１】
インクを吐出する吐出口が第１の方向に配列されてなる吐出口列が形成されるオリフィスプレートと、
インクを吐出するために利用されるエネルギーを発生する素子が前記第１の方向に配列されてなる素子列と、前記素子にインクを供給するための供給口が前記第１の方向に配列されてなる供給口列と、が形成される基板と、
を備えるインクジェット記録ヘッドであって、
前記素子と前記供給口とは、前記第１の方向に関して交互に配されており、
前記供給口の、前記第１の方向と直交する第２の方向に関する長さは、前記素子の前記第２の方向に関する長さよりも大きいことを特徴とするインクジェット記録ヘッド。
【請求項１２】
前記素子と前記供給口とは前記第１の方向に関して直線上に配されていることを特徴とする請求項１１に記載のインクジェット記録ヘッド。
【請求項１３】
前記素子と前記供給口とが交互に配される列が、前記第２方向に複数形成されることを特徴とする請求項１２に記載のインクジェット記録ヘッド。
【請求項１４】
複数の前記列は前記第２の方向に並列して形成されており、前記列の間には流路壁が形成されていることを特徴とする請求項１３に記載のインクジェット記録ヘッド。
【請求項１５】
前記流路壁は前記列に沿って連続して形成されていることを特徴とする請求項１４に記載のインクジェット記録ヘッド。
【請求項１６】
複数の前記列は前記第２の方向に並列して形成されており、前記素子の、隣接する前記列側にはノズルフィルターが形成されていることを特徴とする請求項１３に記載のインクジェット記録ヘッド。
【請求項１７】
前記列は前記第２の方向に並列して形成されており、前記素子の、隣接する前記列側には流路壁が形成されていることを特徴とする請求項１３に記載のインクジェット記録ヘッド。
【請求項１８】
前記流路壁は前記列に沿って複数形成されていることを特徴とする請求項１７に記載のインクジェット記録ヘッド。
【請求項１９】
前記素子に隣接する複数の供給口のうち、少なくとも一方の供給口から前記素子にインクを供給することを特徴とする請求項１１から１８のいずれかに記載のインクジェット記録ヘッド。
【請求項２０】
隣接する前記列における前記素子は、前記第１の方向にオフセットしていることを特徴とする請求項１３から１９のいずれかに記載のインクジェット記録ヘッド。
【請求項２１】
前記第１の方向に隣接する前記素子の間には、流路壁が形成されていることを特徴とする請求項１１から２０のいずれかに記載のインクジェット記録ヘッド。
【請求項２２】
前記流路壁は前記第２の方向に延在していることを特徴とする請求項２１に記載のインクジェット記録ヘッド。
【請求項２３】
インクを吐出する吐出口が形成されるオリフィスプレートと、
インクを吐出するために利用されるエネルギーを発生する素子と、前記素子にインクを供給するための第１の供給口及び第２の供給口と、が形成される基板と、
を備えるインクジェット記録ヘッドであって、
第１の方向に配列される前記第１の供給口と第２の供給口との間に前記素子が配されており、
前記第１供給口及び前記第２の供給口の、前記第１の方向と直交する第２の方向に関する長さは、前記素子の前記第２の方向に関する長さよりも大きいことを特徴とするインクジェット記録ヘッド。
【請求項２４】
前  記第１の方向に関して前記第１の供給口と前記素子と前記第２の供給口とがこの順に配列されてなる、第１のグループと第２のグループを備えることを特徴とする請求項２３に記載のインクジェット記録ヘッド。
【請求項２５】
前記第１のグループと前記第２のグループは、前記第２の方向に互いに並列して配されていることを特徴とする請求項２４に記載のインクジェット記録ヘッド。
【請求項２６】
前記第１のグループと前記第２のグループとの間には流路壁が形成されていることを特徴とする請求項２５に記載のインクジェット記録ヘッド。
【請求項２７】
前記流路壁は前記第１の方向に延在していることを特徴とする請求項２６に記載のインクジェット記録ヘッド。
【請求項２８】
前記第１の方向における前記流路壁の長さは、前記第１の供給口と前記第２の供給口との間隔より大きいことを特徴とする請求項２６に記載のインクジェット記録ヘッド。
【請求項２９】
前記第１のグループの前記素子の、並列する前記第２グループ側にはノズルフィルターが形成されていることを特徴とする請求項２５に記載のインクジェット記録ヘッド。
【請求項３０】
前記第１のグループの前記素子の、並列する前記第２グループ側には流路壁が形成されていることを特徴とする請求項２５に記載のインクジェット記録ヘッド。